(57)【要約】【課題】  ネットワーク上の配信先の指定操作なしに、また、ネットワーク上の配信先を指定するための特殊な通信手順なしに、公衆網上のファクシミリ装置からのファクシミリメッセージをネットワーク上の端末に配信することができるファクシミリ装置を提供すること。【解決手段】  各発信元識別情報のそれぞれに配信先を対応付けて記憶した変換テーブルと、前記公衆網からの着呼時に通知される発信元識別情報を前記変換テーブルと照合して対応する配信先を特定する配信先特定手段と、前記公衆網を介して発信元装置から受信したファクシミリメッセージを内容とする電子メールを作成して、前記配信先特定手段が特定した配信先のメールアドレスに前記ネットワークを介して送信するメッセージ配信手段とを備えたことを特徴とする。【選択図】      図２
2005102280.tif 000002
【特許請求の範囲】
【請求項１】
ネットワーク端末間でデータの送受信が可能なネットワークに前記ネットワーク端末のひとつとして接続されると共に公衆網に接続され、前記公衆網を介したファクシミリメッセージの通信機能と、前記ネットワークを介した電文メールによる通信機能とを備えたファクシミリ装置において、
各発信元識別情報のそれぞれに配信先を対応付けて記憶した変換テーブルと、前記公衆網からの着呼時に通知される発信元識別情報を前記変換テーブルと照合して対応する配信先を特定する配信先特定手段と、前記公衆網を介して発信元装置から受信したファクシミリメッセージを内容とする電子メールを作成して、前記配信先特定手段が特定した配信先のメールアドレスに前記ネットワークを介して送信するメッセージ配信手段とを備えたことを特徴とするファクシミリ装置。
【請求項２】
ネットワーク端末間でデータの送受信が可能なネットワークに前記ネットワーク端末のひとつとして接続されると共に公衆網に接続され、前記公衆網を介したファクシミリメッセージの通信機能と、前記ネットワークを介した電文メールによる通信機能とを備えたファクシミリ装置において、
各発信元識別情報のそれぞれに配信先を対応付けて記憶した変換テーブルと、前記公衆網からの着呼時に、前記公衆網が提供する発信電話番号通知サービスにより通知される発信電話番号を発信元識別情報として検出する第１検出手段と、前記公衆網からの着呼時におけるＩＴＵ−Ｔ勧告Ｔ．３０に基づく伝送前手順において発信元装置から送出される送信端末識別信号ＴＳＩから発信元識別情報を検出する第２検出手段と、前記第１または第２検出手段により検出された発信元識別情報を前記変換テーブルと照合して対応する配信先を特定する配信先特定手段と、前記公衆網を介して発信元装置から受信したファクシミリメッセージを内容とする電子メールを作成して、前記配信先特定手段が特定した配信先のメールアドレスに前記ネットワークを介して送信するメッセージ配信手段とを備えたことを特徴とするファクシミリ装置。
【請求項３】
前記変換テーブルは配信先として自装置の記録手段を含む一方、前記メッセージ配信手段は、前記配信先特定手段により特定された配信先が前記自装置の記録手段である場合には、前記公衆網を介して発信元装置から受信したファクシミリメッセージを前記自装置の記録手段により記録するものであることを特徴とする請求項１または２のいずれかに記載のファクシミリ装置。
【請求項４】
前記通知された送信元識別情報に対応する配信先が前記変換テーブルに未登録であった場合は、当該未登録の発信元識別情報を内容として少なくとも含む電子メールを作成して、所定のメールアドレス宛に前記ネットワークを介して送信する未登録発信元通知手段を更に備えたことを特徴とする請求項１、２または３のいずれかに記載のファクシミリ装置。
【発明の詳細な説明】
【技術分野】
【０００１】
本発明はファクシミリ装置に関し、特に、ネットワーク端末間でデータの送受信が可能なネットワークに前記ネットワーク端末のひとつとして接続されると共に公衆網に接続され、前記公衆網を介したファクシミリメッセージの通信機能と、前記ネットワークを介した電文メールによる通信機能とを備えたファクシミリ装置に関する。
【背景技術】
【０００２】
従来、公衆網に接続されて使用されるファクシミリ装置からＬＡＮ（ローカルエリアネットワーク）等のネットワークに接続されたネットワーク端末にファクシミリメッセージを送信することはできなかった。
【０００３】
しかし、公衆網とネットワークとの両方に接続されたファクシミリ装置が、公衆網上の送信元ファクシミリ装置から受信したファクシミリメッセージを電子メールに変換して、ネットワーク上のネットワーク端末に配信するようにした技術が種々提案されている。
【０００４】
しかし、公衆網上の送信元ファクシミリ装置にとってのファクシミリメッセージの送信宛先は、公衆網とネットワークとの両方に接続されたファクシミリ装置であるため、前記ネットワーク上の配信先を示すメールアドレスを別途指定する必要がある。
【０００５】
特許文献１に見られる技術では、ファクシミリ受信したメッセージ情報を文字認識し宛先を判定し、得られた宛先にメッセージ情報を配信するようにしている。
【０００６】
特許文献２に見られる技術では、操作部入力あるいは数値情報(SUB)をメールアドレスに変換するアドレス変換テーブルを備え、そのアドレス変換テーブルを接続された端末装置から制御できるようにしている。
【０００７】
特許文献３に見られる技術では、受信信号からメールアドレスを抽出し、対応した端末番号に変換し、その端末番号のＬＡＮ内の端末装置へ配信するようにしている。
【特許文献１】特開平１０―１３５９２号公報
【特許文献２】特開平１０―９８５７６号公報
【特許文献３】特開平１０―１４５４２２号公報
【発明の開示】
【発明が解決しようとする課題】
【０００８】
しかし、特許文献１に見られる技術では、受信したメッセージ情報を文字認識し宛先を抽出するため、送信側は所定の書式を用意しなければならず、また、受信側の文字認識能力の制約を満足させる記述をしなければならないなど、送信側での操作性がよくないという問題がある。
【０００９】
特許文献２に見られる技術では、操作部入力あるいは数値情報(SUB)からメールアドレスを抽出するため、操作者、あるいは、送信側がメールアドレスを入力する必要があり、後者の場合、数値情報を送出できる送信装置からしか利用できない。又、どちらもネットワーク上の配信先の指定のための操作が必要で操作性がよくないという問題がある。
【００１０】
特許文献３に見られる技術では、受信信号からメールアドレスを抽出するため、送信側がメールアドレスを入力する必要があり、メールアドレスに相当する信号を送出できる送信装置からしか利用できない。また、ネットワーク上の配信先の指定のための操作が必要で操作性がよくないという問題がある。
【００１１】
このように、従来は、ネットワーク上の配信先を指定するための操作が必要で、また、ネットワーク上の配信先を指定するための情報の送信側からの通知方法が特殊で汎用性がなく、公衆網上からネットワーク上の配信先へファクシミリメッセージを送信可能なファクシミリ装置が限定されてしまうという問題点があった。
【００１２】
本発明は係る事情に鑑みてなされたものであり、ネットワーク上の配信先の指定操作なしに、また、ネットワーク上の配信先を指定するための特殊な通信手順なしに、公衆網上のファクシミリ装置からのファクシミリメッセージをネットワーク上の端末に配信することができるファクシミリ装置を提供することを目的とする。
【課題を解決するための手段】
【００１３】
請求項１に記載のファクシミリ装置は、ネットワーク端末間でデータの送受信が可能なネットワークに前記ネットワーク端末のひとつとして接続されると共に公衆網に接続され、前記公衆網を介したファクシミリメッセージの通信機能と、前記ネットワークを介した電文メールによる通信機能とを備えたネットワークファクシミリ装置において、各発信元識別情報のそれぞれに配信先を対応付けて記憶した変換テーブルと、前記公衆網からの着呼時に通知される発信元識別情報を前記変換テーブルと照合して対応する配信先を特定する配信先特定手段と、前記公衆網を介して発信元装置から受信したファクシミリメッセージを内容とする電子メールを作成して、前記配信先特定手段が特定した配信先のメールアドレスに前記ネットワークを介して送信するメッセージ配信手段とを備えたことを特徴とする。
【００１４】
請求項２に記載のファクシミリ装置は、ネットワーク端末間でデータの送受信が可能なネットワークに前記ネットワーク端末のひとつとして接続されると共に公衆網に接続され、前記公衆網を介したファクシミリメッセージの通信機能と、前記ネットワークを介した電文メールによる通信機能とを備えたネットワークファクシミリ装置において、各発信元識別情報のそれぞれに配信先を対応付けて記憶した変換テーブルと、前記公衆網からの着呼時に、前記公衆網が提供する発信電話番号通知サービスにより通知される発信電話番号を発信元識別情報として検出する第１検出手段と、前記公衆網からの着呼時におけるＩＴＵ−Ｔ勧告Ｔ．３０に基づく伝送前手順において発信元装置から送出される送信端末識別信号ＴＳＩから発信元識別情報を検出する第２検出手段と、前記第１または第２検出手段により検出された発信元識別情報を前記変換テーブルと照合して対応する配信先を特定する配信先特定手段と、前記公衆網を介して発信元装置から受信したファクシミリメッセージを内容とする電子メールを作成して、前記配信先特定手段が特定した配信先のメールアドレスに前記ネットワークを介して送信するメッセージ配信手段とを備えたことを特徴とする。
【００１５】
請求項３に記載のファクシミリ装置は、請求項１または２のいずれかに記載のファクシミリ装置において、前記変換テーブルは配信先として自装置の記録手段を含む一方、前記メッセージ配信手段は、前記配信先特定手段により特定された配信先が前記自装置の記録手段である場合には、前記公衆網を介して発信元装置から受信したファクシミリメッセージを前記自装置の記録手段により記録するものであることを特徴とする。
【００１６】
請求項４に記載のファクシミリ装置は、請求項１、２または３のいずれかに記載のファクシミリ装置において、前記通知された送信元識別情報に対応する配信先が前記変換テーブルに未登録であった場合は、当該未登録の発信元識別情報を内容として少なくとも含む電子メールを作成して、所定のメールアドレス宛に前記ネットワークを介して送信する未登録発信元通知手段を更に備えたことを特徴とする。
【発明の効果】
【００１７】
請求項１に係る発明によれば、前記公衆網からの着呼時に普段通知される発信元識別情報を、前記ネットワーク上の配信先を特定するため情報として利用するようにしたため、ネットワーク上の配信先を指定するための操作なしで、また、ネットワーク上の配信先を指定するための特殊な通信手順なしに、公衆網上の一般的なファクシミリ装置からのファクシミリメッセージをネットワーク上の端末に配信することが可能となる効果が得られる。
【００１８】
請求項２に係る発明によれば、前記公衆網が提供する発信電話番号通知サブアドレスにより通知される発信電話番号や、ＩＴＵ−Ｔ勧告Ｔ．３０に基づく伝送前手順において発信元装置から送出される送信端末識別信号ＴＳＩで通知される情報を発信元識別情報として、前記ネットワーク上の配信先を特定するため情報として利用するようにしたため、ネットワーク上の配信先を指定するための、サブアドレスの入力等の操作なしに、また、ネットワーク上の配信先を指定するための特殊な通信手順なしに、公衆網上の一般的なファクシミリ装置からのファクシミリメッセージをネットワーク上の端末に配信することが可能となる効果が得られる。
【００１９】
請求項３に係る発明によれば、配信先として自装置の記録手段を予め登録しておくことで、当該配信先としての自装置の記録手段に対応する発信元識別情報が着呼時に通知された場合に、発信元装置から受信したファクシミリメッセージを前記自装置の記録手段により記録出力するため、前記ネットワーク上のネットワーク端末に配信したいと所望する発信元については、前記変換テーブルにおける対応する配信先として当該ネットワーク端末のメールアドレスを登録し、前記ネットワーク上のネットワーク端末に配信するのではなく、自装置において記録出力したいと所望する発信元については、前記変換テーブルにおける対応する配信先として自装置の記録手段を登録することで、即時性の高い情報を発信する発信元から受信したファクシミリメッセージを自装置で記録出力することで、情報の即時性を確保したり、重要性の低い発信元から受信したファクシミリメッセージをプリントアウトしないで前記ネットワーク上のネットワーク端末に配信して、当該ネットワーク端末でディスプレイ表示させて内容を確認した後に、必要に応じてプリントアウトしたりする柔軟な対応が可能となる効果が得られる。
【００２０】
請求項４に係る発明によれば、前記変換テーブルに未登録の送信元識別情報か着呼時に通知された場合には、当該送信元識別情報が前記ネットワーク上の所定のネットワーク端末に通知されるため、本発明に係るファクシミリ装置の管理者等に、前記変換テーブルに未登録の発信元からの着呼があったことを認知させることができ、当該未登録の発信元識別情報の前記変換テーブルへの新規登録等の適切な処置を促すことが可能となる効果が得られる。
【発明を実施するための最良の形態】
【００２１】
以下、添付図面を参照しながら、本発明を実施するための最良の形態について説明する
【００２２】
先ず、図１は、本発明の本発明を実施するための最良の形態に係るファクシミリ装置１のネットワーク及び公衆網への接続形態について示す図である。
【００２３】
同図において、ローカルエリアネットワークＬＡＮ側には、ワークステーション装置ＷＳ１（電子メールアドレス：ws1@abc.co.jp）ないしＷＳｎ（電子メールアドレス：wsn@abc.co.jp）、及び、メールサーバ装置ＭＳと共にファクシミリ装置１（電子メールアドレス：fax@abc.co.jp）がＬＡＮに接続される一方、また、ＬＡＮは、ルータ装置Ｒを介してインターネットに接続され、ファクシミリ装置１を含むＬＡＮ上のネットワーク端末は、ＴＣＰ／ＩＰ上でＳＭＴＰやＭＩＭＥプロトコルによる電子メールの送信を行える。また、ＬＡＮの端末における電子メールの受信は、ＰＯＰ（Post Office Protocol）によるメールサーバ装置ＭＳへのアクセスにより行える。
【００２４】
また、ファクシミリ装置１は、公衆網にも接続され、公衆網上の他のファクシミリ装置２０ａ、２０ｂ等と、公衆網を介したファクシミリメッセージの送受信も行える。
【００２５】
図２に、ファクシミリ装置１のブロック構成を示す。
【００２６】
同図において、ファクシミリ装置１は、システム制御部２、ＲＯＭ３、ＲＡＭ４、スキャナ５、プロッタ６、時計回路７、画像メモリ８、操作表示部９、符号化復号化部１０、ＬＡＮ通信制御部１１、モデム１２、網制御部１３、及び、システムバス１４により構成されている。
【００２７】
システム制御部２は、ＲＯＭ３に書き込まれた制御プログラムに従って、ＲＡＭ４を作業領域として使用しながら、装置各部を制御するマイクロコンピュータである。
【００２８】
ＲＯＭ３は、前述したように、システム制御部２が上記装置各部を制御するための制御プログラムが記憶されているリードオンリメモリである。ＲＡＭ４は、前述したようにシステム制御部２の作業領域として使用されるランダムアクセスメモリである。なお、ＲＡＭ４は、図示しないバックアップ用回路によりバックアップされており、装置電源遮断時にも記憶内容は保持される。
【００２９】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００３０】
時計回路７は、現在時刻の計時を行う一方、システム制御部２から設定された時定数をカウントダウンしてタイムアウトするとシステム制御部２にタイムアウトしたことを通知する、タイマ動作を行うものである。画像メモリ８は、スキャナ５で読み取った画情報を、メモリ送信するために一時的にファイルとして蓄積したり、受信した画情報を、プロッタ６により記録するまでファイルとして一時的に蓄積したりするための一時的な記憶領域として使用されるものである。
【００３１】
操作表示部９は、宛先電話番号を指定するためのテンキー、スタートキー、ワンタッチダイヤルキー、及び、その他各種キーが配設される一方、液晶表示装置等の表示器を備え、ユーザに知らせるべき装置の動作状態や、各種メッセージを表示するものである。
【００３２】
符号化復号化部１０は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００３３】
ＬＡＮ通信制御部１１は、ＬＡＮにおけるＴＣＰ／ＩＰプロトコルを制御して、ＴＣＰ／ＩＰ上でのＳＭＴＰ、ＭＩＭＥ、ＰＯＰの各プロトコルによる電子メールの送受信をシステム制御部２が行えるようにするためのものである。モデム１２は、Ｇ３ファクシミリモデムで、網制御部１３を介して公衆網に送信するデータを変調する一方、網制御部１３を介して公衆網から受信した信号を復調するものである。また、モデム１２は、相手先番号に対応するＤＴＭＦ信号の送出も行う。
【００３４】
網制御部１３は、回線に接続されて、回線の極性反転の検出、回線の直流ループの閉結・解放や、回線解放の検出、発信音の検出、ビジートーン等のトーン信号の検出、呼出信号の検出等の回線との接続制御や、相手先番号に対応する選択信号の、２０ＰＰＳまたは１０ＰＰＳのダイヤル回線に対応したダイヤルパルス信号による送出を行うものである。システムバス１４は、上記各部がデータをやり取りするための信号ラインである。
【００３５】
また、ファクシミリ装置１は、公衆網が提供する発信電話番号通知サービスに対応していて、モデム信号により公衆網側の交換機から通知される発信電話番号をモデム１２により検出する。
【００３６】
ここで、後に説明する、ファクシミリ装置１における受信処理手順に深く関係する発信電話番号通知サービスの接続手順について、説明しておく。
【００３７】
図３に示す、発信電話番号通知サービスにおける接続動作シーケンスについて説明する。なお、同図において、発信端末は、ファクシミリ装置１を着信端末として発信する他のファクシミリ装置２０ａ、２０ｂ等の発信元装置に相当し、ＩＤ受信端末及び着信端末は、同一端末で、ファクシミリ装置１に相当する。また、発信端末が収容された加入者線交換機と、着信端末が収容された加入者交換機とを便宜的に１つの交換機として示しているが、それらの交換機は、実際には異なる場合もある。
【００３８】
図３に示す接続動作シーケンスにおいて、発信端末は、オフフックして（フェーズＦ１）、交換器との間の直流回路を閉結し、着信端末の電話番号をダイヤルする（フェーズＦ２）。
【００３９】
交換器は、それを受けて、発信端末からダイヤル指定された電話番号に対応するＩＤ受信端末が収容された加入者回線の極性を反転し（フェーズＦ３）、ＩＤ受信端末起動信号を送出する（フェーズＦ４）。なお、ＩＤ受信端末起動信号は、一般の呼出信号とカデンスが異なるのみで、その他の信号特性は同一である。
【００４０】
ＩＤ受信端末は、交換機からのＩＤ受信端末起動信号を受信すると、回線の直流ループを閉結することにより、一次応答信号を交換機に返送する（フェーズＦ５）。
【００４１】
交換機は、その一時応答信号を受けて、発信端末の発ＩＤをモデム信号としてＩＤ受信端末に送出し、そのＩＤ受信端末が受信する（フェーズＦ６）。
【００４２】
ＩＤ受信端末は、フェーズＦ６において発ＩＤを受信すると、回線の直流ループを解放して遮断することにより、交換機に対して受信完了信号を返送する（フェーズＦ７）。
【００４３】
交換機は、フェーズＦ７により受信完了信号を受信すると、通常の呼出信号を着信端末に送出し、当該着信端末が受信する（フェーズＦ８）。なお、交換機は、着信端末に呼出信号を送出すると同時に、発信端末にリングバックトーンを送出している（フェーズＦ９）。
【００４４】
フェーズＦ８で交換機から呼出信号を受信した着信端末は、ファクシミリ装置等のデータ通信を行う端末であれば自動的に、電話器等の会話通信を行う端末であれば、ユーザによるハンドセットのオフフックにより、回線の直流を閉結することで、交換機に２次応答信号を返送する（フェーズＦ１０）。そして２次応答信号を受信した交換機により発信端末と着信端末との間に回線が確立され、以後、会話による通信（通話）や、Ｇ３ファクシミリプロトコル等の所定のプロトコルにしたがったファクシミリ通信等の通信が行われる（フェーズＦ１１）。通話や通信完了後は、ハンドセットのオンフックにより、若しくは自動的に、回線の直流ループを解放することで、電話回線に収容される一般の通信端末装置と同様に回線を切断する。
【００４５】
このように、公衆網が提供する発信電話番号通知サービスにより、発呼側の電話番号が、着呼側に通知される。もっとも、発呼側が発信電話番号を非通知にする回線契約をしていたり、発信電話番号を非通知にするための番号「１８４」に続いて着呼側の電話番号をダイヤルした場合には、発呼側の電話番号は、着呼側に通知されない場合もある。
【００４６】
次に、後に説明する、ファクシミリ装置１における受信処理手順に深く関係する、ＩＴＵ−Ｔ勧告Ｔ．３０に基づくＧ３ファクシミリ通信シーケンスについて、図４を参照して説明する。
【００４７】
なお、同図において、発呼側は、他のファクシミリ装置２０ａ、２０ｂ等に対応し、着呼側は、ファクシミリ装置１に対応する。
【００４８】
同図において、他のファクシミリ装置２０ａ、２０ｂ等の発呼側のファクシミリ装置は、着呼側のファクシミリ装置１に発呼して回線が確立されると、発呼トーンＣＮＧで呼を指示し（フェーズＦ２０）、着呼側が被呼局識別信号ＣＥＤで呼に応答する（フェーズＦ２１）。
【００４９】
そして、着呼側から送出されるディジタル識別信号ＤＩＳ、非標準機能識別信号ＮＳＦ、被呼端末識別信号ＣＳＩに対して（フェーズＦ２２）、発呼側は、ディジタル送信命令信号ＤＣＳ、非標準機能設定信号ＮＳＳ、及び、送信端末識別信号ＴＳＩを送出する（フェーズＦ２３）。
【００５０】
更に発呼側のファクシミリ装置は、フェーズＦ２３で通信パラメータを設定した上で、トレーニングチェック信号ＴＣＦにより、設定したモデム速度でモデムトレーニングを行い（フェーズＦ２４）、着呼側からの受信準備確認信号ＣＦＲの受信を待って（フェーズＦ２５）、画情報をファクシミリメッセージとして送信する（フェーズＦ２６）。なお、フェーズＦ２６でファクシミリメッセージとして送信するデータは画情報に限らず、Ｇ３ファクシミリの拡張機能であるＢＦＴ（Ｂｉｎａｒｙ  Ｆｉｌｅ  Ｔｒａｎｓｆｅｒ）によるバイナリデータであってもよい。
【００５１】
発呼側のファクシミリ装置は、フェーズＦ２６でファクシミリメッセージを送信すると、手順終了信号ＥＯＰを送出し（フェーズＦ２７）、着呼側がメッセージ確認信号ＭＣＦで応答してくると（フェーズＦ２８）、切断命令信号ＤＣＮを送出して（フェーズＦ２９）、ファクシミリ送信を完了する。
【００５２】
このように、ファクシミリ送信時に必要に応じて発呼側が着呼側に送信端末識別信号ＴＳＩを通知することで、発信元の電話番号を着呼側に通知することができる。発呼側において送信端末識別信号ＴＳＩとして送信されるのは、発呼側装置において予め登録された自局の電話番号である。その自局電話番号は、相手先装置との通信時に相手先に通知されて、相手先装置側で通信管理情報として管理されたりする重要な情報であるため、ほとんどの場合予め登録されており、また、購入時の初回の電源投入時に自局番号の登録を促す画面を表示して、強制的に入力させるようにした装置もあり、送信端末識別信号ＴＳＩはほとんどの場合発呼側から着呼側に通知される。
【００５３】
ファクシミリ装置１は、図５に示すような変換テーブル４ａをＲＡＭ４に予め記憶している。
【００５４】
変換テーブル４ａは、操作表示部９からの対話入力、または、ＬＡＮ上の管理者用のワークステーション装置からのＬＡＮを介したリモート登録により予め登録されるものであり、発信電話番号通知サービス、または、送信端末識別信号ＴＳＩにより通知され得る各発信元識別情報と、配信先とを対応付けたものである。
【００５５】
発信元識別情報としては、基本的には発信元の電話番号が登録されているが、特別な発信元識別情報として、「通知なし・未登録」が登録されている。これは、発信元識別情報が発信電話番号通知サービス、または、送信端末識別信号ＴＳＩにより通知されなかった発信元、または、通知されたが、変換テーブル４ａには登録されていなかった送信元を代表するもので、配信先としては、本発明を実施するための最良の形態では、ワークステーション装置ＷＳ２のメールアドレス（ws2@abc.co.jp）が登録されている。
【００５６】
また、配信先としては、基本的にはＬＡＮ上のワークステーション装置のメールアドレスが登録されているが、特別な配信先として、「プロッタ」が登録されている。
【００５７】
また、ファクシミリ装置１は、図６に示すように、未登録発信元通知先４ｂをＲＡＭ４に予め記憶している。本発明を実施するための最良の形態では、未登録発信元通知先４ｂとして、ワークステーション装置ＷＳ２のメールアドレス（ws2@abc.co.jp）が登録されている。
【００５８】
次に、ファクシミリ装置１における受信処理手順について、図７及び図８を参照して説明する。
【００５９】
先ず、図７において、システム制御部２は、図３に示した発信電話番号通知サービスの接続動作シーケンスにおけるフェーズＦ３に対応した回線の極性反転が網制御部１３により検出されるかを監視し（判断１０１のＮｏループ）、回線の極性反転が検出されると（判断１０１のＹｅｓ）、図３に示した動作シーケンスの発信電話番号通知サービス対応応答処理を行い、フェーズＦ６により通知される発ＩＤを、発信電話番号通知サービスにより通知された発信元識別情報として、ＲＡＭ４に一時記憶する（処理１０２）。もっとも、発ＩＤの通知がなかった場合には、送信元識別情報は記憶されない。
【００６０】
処理１０２により他のファクシミリ装置２０ａ、２０ｂ等との間の回線が確立されると、図４に示した通信シーケンスにより、ＩＴＵ−Ｔ勧告Ｔ．３０に基づくＧ３ファクシミリプロトコルの伝送前手順を行う（処理１０３）。なお、処理１０３における伝送前手順において送信端末識別信号ＴＳＩとして通知された発信元識別情報は、ＴＳＩにより通知された発信元識別情報としてＲＡＭ４に一時記憶される。
【００６１】
処理１０３の伝送前手順が終了すると、図４に示した通信シーケンスによりファクシミリメッセージを受信し画像メモリ８に記憶する（処理１０４）。
【００６２】
そして、処理１０２の発信電話番号通知サービス対応応答処理により、発信電話番号の通知があったか否かを判断し（判断１０５）、発信電話番号の通知なかった場合には（判断１０５のＮｏ）、更に、ＴＳＩの通知があったか否かを判断し（判断１０６）、ＴＳＩの通知もなかった場合には（判断１０５のＮｏ）、処理１０４で受信・記憶したファクシミリメッセージを内容とする電子メールをＭＩＭＥ形式でエンコードすることにより作成し（処理１０７）、図５に示した変換テーブル４ａにおいて、「通知なし・未登録」の発信元識別情報に対応する配信先（ws2@abc.co.jp）にＬＡＮ通信制御１１を介して送信する（処理１０８）。
【００６３】
これにより、発信元識別情報の通知を伴わない受信メッセージを所定の配信先に配信して配信先のワークステーション装置側でディスプレイ表示や必要に応じたプリントアウトを行わせることができる。なお、「通知なし・未登録」の発信元識別情報に対応する配信先としては、ＬＡＮ上のワークステーション装置のメールアドレスではなく、「プロッタ」を割り当てるようにし、発信元識別情報が「通知なし・未登録」の発信元からの受信メッセージをプロッタ６により記録紙に記録出力するようにしてもよい。
【００６４】
判断１０５で発信電話番号の通知があった場合（判断１０５のＹｅｓ）、または、判断１０６でＴＳＩの通知があった場合は（判断１０６のＹｅｓ）、発信電話番号やＴＳＩとして通知された発信元識別情報を変化テーブル４ａと照合する（処理１０９）。照合の結果、発信元識別情報として登録されている場合は（判断１１０のＹｅｓ）、対応して登録されている配信先が「プロッタ」か否かを判断し（判断１１１）。「プロッタ」である場合は（判断１１１のＹｅｓ）、処理１０４で受信・記憶したファクシミリメッセージをプロッタ６により記録紙に記録出力する（処理１１２）。これにより、配信先として特に「プロッタ」が登録された発信元については、ＬＡＮ上の配信先に電子メールとして配信するのではなく、自機のプロッタで記録出力することができる。
【００６５】
判断１１１において、配信先がプロッタではなく、メールアドレスである場合は（判断１１１のＮｏ）、図８の処理１１３に移行し、処理１０４で受信・記憶したファクシミリメッセージを内容とする電子メールをＭＩＭＥ形式でエンコードすることにより作成し（処理１１３）、変換テーブル４ａにおいて、対応して登録されている配信先のメールアドレスにＬＡＮ通信制御１１を介して送信する（処理１１４）。
【００６６】
これにより、発信元識別情報が通知された受信メッセージを対応する配信先に配信して配信先のワークステーション装置側でディスプレイ表示や必要に応じたプリントアウトを行わせることができる。
【００６７】
判断１１０において、処理１０２または処理１０３により通知された発信元識別情報が変換テーブル４ａに発信元識別情報として登録されていない場合は（判断１１０のＮｏ）、図８の処理１１５に移行し、処理１０４で受信・記憶したファクシミリメッセージを内容とする電子メールをＭＩＭＥ形式でエンコードすることにより作成し（処理１１５）、図５に示した変換テーブル４ａにおいて、「通知なし・未登録」の発信元識別情報に対応する配信先（ws2@abc.co.jp）にＬＡＮ通信制御１１を介して送信する（処理１１６）。
【００６８】
これにより、通知された発信元識別情報が未登録の受信メッセージを所定の配信先に配信して配信先のワークステーション装置側でディスプレイ表示や必要に応じたプリントアウトを行わせることができる。
【００６９】
また、処理１０２または処理１０３により通知された発信元識別情報を少なくとも内容として含む未登録発信元通知メールを作成し（処理１１７）、図６に示したように予め登録された未登録発信元通知先のメールアドレス（ws2@abc.co.jp）に、ＬＡＮ通信制御１１を介して送信する（処理１１８）。
【００７０】
図９に処理１１７により作成され処理１１８により送信される電子メールの内容例を示す。同図において、「発信元：」の項目に示された「７８−９０１２−３４５６」が、変換テーブル４ａに未登録の発信元識別情報を示している。また、付加情報として、発信元識別情報が発信電話番号通知サービスまたはＴＳＩのいずれにより通知されたかを示す「通知方法：」の項目（図においてはＴＳＩ）が付加されている。
【００７１】
これにより、変換テーブル４ａに未登録の発信元からのファクシミリメッセージの受信があった旨、及び、未登録の発信元識別情報をファクシミリ装置１の管理者に通知でき、その管理者による当該未登録の発信元識別情報の変換テーブル４ａへの登録を促すことができる。その場合の変換テーブル４ａへの当該未登録の発信元識別情報の登録は、ファクシミリ装置１の操作表示部９からの入力により行ってもよいし、変換テーブル４ａの更新用の所定のフォーマットの電子メールにより新たに登録する発信元識別情報と対応する配信先をファクシミリ装置１（fax@abc.co.jp）宛に通知し、ファクシミリ装置１のシステム制御部２が、通知された発信元識別情報及び配信先を変換テーブル４ａに登録するようにしてもよい。
【００７２】
このように、本発明を実施するための最良の形態によれば、発信元装置において、ＬＡＮ上の配信先を指定するための操作を行う必要もなく、また、ＬＡＮ上の配信先を指定するための特殊な通信手順も必要なく、他のファクシミリ装置２０ａ、２０ｂ等の公衆網上の一般的なファクシミリ装置からのファクシミリメッセージをＬＡＮ上の端末に配信したり自機のプロッタにより記録出力することができるようになる。
【図面の簡単な説明】
【００７３】
【図１】本発明の本発明を実施するための最良の形態に係るファクシミリ装置のネットワーク及び公衆網への接続形態について示す図である。
【図２】本発明の本発明を実施するための最良の形態に係るファクシミリ装置のブロック構成を示す図である。
【図３】発信電話番号通知サービスにおける接続動作シーケンスを示す図である。
【図４】ファクシミリ送信シーケンスについて示す図である。
【図５】発信元識別情報と配信先との変換テーブルについて示す図である。
【図６】未登録発信元通知先について示す図である。
【図７】本発明の本発明を実施するための最良の形態に係るファクシミリ装置における受信処理手順について示すフローチャートである。
【図８】図７と共に本発明の本発明を実施するための最良の形態に係るファクシミリ装置における受信処理手順について示すフローチャートである。
【図９】未登録発信元通知レポートについて示す図である。
【符号の説明】
【００７４】
ＭＳ  メールサーバ装置
ＷＳ１、…、ＷＳｎ  ワークステーション装置
Ｒ  ルータ装置
ＬＡＮ  ローカルエリアネットワーク
１  ファクシミリ装置
２  システム制御部
３  ＲＯＭ
４  ＲＡＭ
４ａ  変換テーブル
４ｂ  未登録発信元通知先
５  スキャナ
６  プロッタ
７  時計回路
８  画像メモリ
９  操作表示部
１０  符号化復号化部
１１  ＬＡＮ通信制御部
１２  モデム
１３  網制御部
１４  システムバス
２０ａ、２０ｂ  他のファクシミリ装置
【図１】
2005102280.tif 000003
【図２】
2005102280.tif 000004
【図３】
2005102280.tif 000005
【図４】
2005102280.tif 000006
【図５】
2005102280.tif 000007
【図６】
2005102280.tif 000008
【図７】
2005102280.tif 000009
【図８】
2005102280.tif 000010
【図９】
2005102280.tif 000011